(57)【要約】【課題】  複数の病室を順に訪問して患者に処置を施す場合に、訪問先の病室の位置を容易に把握することが可能な医用情報処理システムを提供する。【解決手段】  医用情報処理システム１は、ＲＩＳサーバ６とＰＤＡ１０とを備える。ＲＩＳサーバ６は、患者に所定の処置（ポータブル撮影）を施すための患者情報及び処置内容情報とその患者の病室を識別する病室情報とをそれぞれ含む複数の処置要求情報を送信する。ＰＤＡ１０は、ＲＩＳサーバ６から送信された複数の処置要求情報を受信する通信部１６と、表示部１４を含むユーザインターフェイス１３と、受信された各処置要求情報に基づいて、複数の患者のそれぞれの病室の位置情報を表示部１４に表示させる制御部１１とを備える。【選択図】      図２
2007052699.tif 000002
【特許請求の範囲】
【請求項１】
患者に所定の処置を施すための患者情報及び処置内容情報とその患者の病室を識別する病室情報とをそれぞれ含む複数の処置要求情報を送信する医用情報処理装置と、
前記送信された複数の処置要求情報を受信する通信手段と、表示手段を含むユーザインターフェイス手段と、前記受信された各処置要求情報に基づいて、前記複数の患者のそれぞれの病室の位置情報を前記表示手段に表示させる制御手段とを有する携帯端末と、
を備えることを特徴とする医用情報処理システム。
【請求項２】
前記位置情報は、病棟における病室のレイアウトを表すレイアウト画像を含み、
前記制御手段は、前記レイアウト画像を前記表示手段に表示させるときに、前記複数の患者の病室を他の患者の病室と異なる表示態様で表示させる、
ことを特徴とする請求項１に記載の医用情報処理システム。
【請求項３】
前記患者情報は、患者識別情報及び／又は患者氏名を含み、
前記制御手段は、前記受信された複数の処置要求情報の患者情報及び病室情報に基づいて、前記レイアウト画像中の病室を示す領域に、その病室内の患者の患者識別情報及び／又は患者氏名を表示させる、
ことを特徴とする請求項２に記載の医用情報処理システム。
【請求項４】
前記ユーザインターフェイス手段は操作手段を含み、
前記レイアウト画像は、前記病棟の各フロアごとに表示されるものであり、
前記制御手段は、前記受信された複数の処置要求情報に基づいて前記各フロアごとの患者人数を前記表示手段に表示させ、前記操作手段によりフロアが指定されたことに対応して前記指定されたフロアのレイアウト画像を表示させる、
ことを特徴とする請求項２又は請求項３に記載の医用情報処理システム。
【請求項５】
前記ユーザインターフェイス手段は、前記表示された位置情報に基づいて前記複数の患者の病室のうちの一つを指定するための指定手段を含み、
前記制御手段は、前記指定手段により指定された病室内の患者の少なくとも患者情報及び処置内容情報を前記表示手段に表示させる、
ことを特徴とする請求項１ないし請求項４のいずれか一項に記載の医用情報処理システム。
【請求項６】
患者に所定の処置を施すための患者情報及び処置内容情報とその患者の病室を識別する病室情報とを含む処置要求情報に基づいて前記患者の病室の位置情報を作成し、複数の前記処理要求情報と、前記複数の処理要求情報のそれぞれに基づいて作成された位置情報とを送信する医用情報処理装置と、
前記送信された複数の処置要求情報と複数の位置情報とを受信する通信手段と、表示手段を含むユーザインターフェイス手段と、前記受信された複数の位置情報を前記表示手段に表示させる制御手段とを有する携帯端末と、
を備えることを特徴とする医用情報処理システム。
【発明の詳細な説明】
【技術分野】
【０００１】
本発明は、複数の病室を順に訪問して患者に所定の処置を施すための医用情報の処理を実行する医用情報処理システムに関する。
【背景技術】
【０００２】
病室内の患者に対して所定の処置を施すための医用情報を処理するシステムとして、たとえば特許文献１に開示されたものが知られている。同文献に記載のシステムは、可搬型の医用画像診断装置を患者の病室に移動させて医用画像を撮影する、いわゆるポータブル撮影に関するもので、その患者の患者ＩＤと撮影部位を示す撮影条件とを含む撮影オーダ情報を読み出し可能に保持し、入力された指示に応じて撮影オーダ情報を外部に送信する情報管理装置と、病院内の通信ネットワークを介して情報管理装置から撮影オーダ情報を取得する制御装置と、撮影オーダ情報を制御装置から取得し、取得した撮影オーダ情報を表示するとともに、予め定められた特定の制御装置との間で情報の送受信を行う携帯端末とを備えるものである。
【０００３】
このようなシステムにより、従来は患者を撮影室に移動させて実施していた医用画像撮影を病室内で行えることから、歩行困難な患者や、ベッドから移動させるべきでない重症の患者に対する負担の低減を図ることが可能となった。
【０００４】
複数の患者のポータブル撮影を行う場合には、その複数の患者のリスト（回診情報、ワークシートなどと呼ばれる。）を印刷出力し、それを参照して複数の患者の病室を順序立てて移動していた。このワークシートには、患者ＩＤや患者氏名、更に病棟番号や病室番号などが印刷されていた。
【０００５】
しかし、このような従来のシステムによれば、携帯端末に表示された撮影オーダ情報を参照することはできるが、ポータブル撮影を行う度ごとに一々ワークシートを印刷するという煩わしい作業を行わなければならなかった。また、印刷用紙の使用によるコストの増加や、近年における省資源化の流れにそぐわないなどの指摘がなされていた。
【０００６】
更に、ワークシート上の情報は、単なる文字情報として印刷されていたために、どの病棟のどの階のどの病室に行けばよいのかを一目で直感的に把握することができなかった。ポータブル撮影を実施する患者の組み合わせは毎回異なるのが通常であり、どのような経路で複数の病室を回るのが効率的であるか毎回判断する必要があるが、印刷された文字情報のみから経路の効率性を迅速かつ的確に判断することは困難であった。特に当該病院に赴任して間もない撮影技師や医師などにとっては、そのような判断を行うことは非常に困難であった。
【０００７】
このような事態は、ポータブル撮影を実施する場合に限られず、より一般に、病室内にいる患者を訪問して処置を施す各種の場面において発生していた。たとえば、病室内の患者に対して注射を施すとき、食事（給食）を配膳するとき、生理検査や内視鏡検査等の各種検査を実施するときなどにも表面化していた。
【０００８】
【特許文献１】特開２００４−３０２５４９号公報
【発明の開示】
【発明が解決しようとする課題】
【０００９】
本発明は、以上のような事情に鑑みてなされたもので、複数の病室を順に訪問して患者に処置を施す場合に、病棟内における訪問先の病室の位置を容易に把握することが可能な医用情報処理システムを提供することを主たる目的とする。
【課題を解決するための手段】
【００１０】
上記目的を達成するために、請求項１に記載の発明は、患者に所定の処置を施すための患者情報及び処置内容情報とその患者の病室を識別する病室情報とをそれぞれ含む複数の処置要求情報を送信する医用情報処理装置と、前記送信された複数の処置要求情報を受信する通信手段と、表示手段を含むユーザインターフェイス手段と、前記受信された各処置要求情報に基づいて、前記複数の患者のそれぞれの病室の位置情報を前記表示手段に表示させる制御手段とを有する携帯端末と、を備えることを特徴とする医用情報処理システムである。
【００１１】
また、請求項２に記載の発明は、請求項１に記載の医用情報処理システムであって、前記位置情報は、病棟における病室のレイアウトを表すレイアウト画像を含み、前記制御手段は、前記レイアウト画像を前記表示手段に表示させるときに、前記複数の患者の病室を他の患者の病室と異なる表示態様で表示させる、ことを特徴とする。
【００１２】
また、請求項３に記載の発明は、請求項２に記載の医用情報処理システムであって、前記患者情報は、患者識別情報及び／又は患者氏名を含み、前記制御手段は、前記受信された複数の処置要求情報の患者情報及び病室情報に基づいて、前記レイアウト画像中の病室を示す領域に、その病室内の患者の患者識別情報及び／又は患者氏名を表示させる、ことを特徴とする。
【００１３】
また、請求項４に記載の発明は、請求項２又は請求項３に記載の医用情報処理システムであって、前記ユーザインターフェイス手段は操作手段を含み、前記レイアウト画像は、前記病棟の各フロアごとに表示されるものであり、前記制御手段は、前記受信された複数の処置要求情報に基づいて前記各フロアごとの患者人数を前記表示手段に表示させ、前記操作手段によりフロアが指定されたことに対応して前記指定されたフロアのレイアウト画像を表示させる、ことを特徴とする。
【００１４】
また、請求項５に記載の発明は、請求項１ないし請求項４のいずれか一項に記載の医用情報処理システムであって、前記ユーザインターフェイス手段は、前記表示された位置情報に基づいて前記複数の患者の病室のうちの一つを指定するための指定手段を含み、前記制御手段は、前記指定手段により指定された病室内の患者の少なくとも患者情報及び処置内容情報を前記表示手段に表示させる、ことを特徴とする。
【００１５】
また、請求項６に記載の発明は、患者に所定の処置を施すための患者情報及び処置内容情報とその患者の病室を識別する病室情報とを含む処置要求情報に基づいて前記患者の病室の位置情報を作成し、複数の前記処理要求情報と、前記複数の処理要求情報のそれぞれに基づいて作成された位置情報とを送信する医用情報処理装置と、前記送信された複数の処置要求情報と複数の位置情報とを受信する通信手段と、表示手段を含むユーザインターフェイス手段と、前記受信された複数の位置情報を前記表示手段に表示させる制御手段とを有する携帯端末と、を備えることを特徴とする医用情報処理システムである。
【発明の効果】
【００１６】
請求項１に記載の本発明に係る医用情報処理システムは、医用情報処置装置と携帯端末とを含んで構成されている。医用情報処理装置は、患者に所定の処置を施すための患者情報及び処置内容情報とその患者の病室を識別する病室情報とをそれぞれ含む複数の処置要求情報を送信する。携帯端末は、医用情報処理装置から送信された複数の処置要求情報を受信する通信手段と、表示手段を含むユーザインターフェイス手段と、通信手段が受信した各処置要求情報に基づいて、複数の患者のそれぞれの病室の位置情報を表示手段に表示させる制御手段とを有している。
【００１７】
このような本発明によれば、携帯端末のユーザは、複数の病室を順に訪問して所定の処置を実施する場合に、表示手段に表示される病室の位置情報を参照することにより、訪問先の病室の位置を容易に把握することができる。
【００１８】
また、請求項２に記載の本発明によれば、携帯端末の表示手段に表示される病室の位置情報はレイアウト画像を含んでいる。このレイアウト画像においては、所定の処置の対象となる複数の患者の病室は、他の患者の病室と異なる表示態様で表示されるようになっている。それにより、文字情報のみからなる従来のワークシート（回診情報）と比較して、訪問先の病室の位置を直感的に把握することが可能となる。
【００１９】
また、請求項６に記載の本発明においては、医用画像処理装置が、処置要求情報に基づいて患者の病室の位置情報を作成するとともに、複数の処理要求情報及び位置情報を送信し、携帯端末が、その複数の処置要求情報及び位置情報を受信するとともに、当該複数の位置情報を表示手段に表示させるようになっている。したがって、請求項１に記載の本発明と同様に訪問先の病室の位置を容易に把握することが可能となるのに加え、携帯端末のユーザ以外の者であっても、医用画像処理装置にアクセスして当該位置情報を閲覧することができる。
【発明を実施するための最良の形態】
【００２０】
本発明に係る医用情報処理システムの好適な実施の形態の一例について、図面を参照しながら詳細に説明する。
【００２１】
［システム構成］
本実施形態に係る医用情報処理システムの一構成例を図１に示す。同図に示す医用情報処理システム１は、病院内に構築されたローカルエリアネットワーク（ＬＡＮ）やインターネット等の院内ネットワーク２を介して通信可能に接続された各種装置、具体的には、医師端末３、ＨＩＳサーバ４、医用画像診断装置５、ＲＩＳサーバ６、複数のＲＩＳクライアント７、８、撮影画像読取装置９Ａ、ＰＤＡ１０などが、院内ネットワーク２を通じて接続されている。また、院内では、病室にて医用画像を撮影するポータブル撮影を行うためのポータブル撮影装置９が使用される。
【００２２】
以下、これらの装置の構成や使用方法などについて説明する。なお、医師端末３、ＨＩＳサーバ４、医用画像診断装置５、ＲＩＳサーバ６、複数のＲＩＳクライアント７、８及びポータブル撮影装置９については、それぞれ、従来の装置と同様の構成を有しているため、簡単な説明に留めるものとする。一方、ＰＤＡ１０については、本発明に特徴的な構成を備えるものであるため、特に詳細に説明する。
【００２３】
〔医師端末〕
医師端末３は、病院内の診察室等に設置されたコンピュータ端末であり、医師によって使用される。医師は、この医師端末３により、患者の電子カルテを閲覧・作成したり、医用画像を閲覧したりすることができる。
【００２４】
また、医師端末３は、患者に施す処置の内容を表す情報（処置内容情報）を入力し、その患者の患者情報とともに所定の送信先（ＨＩＳサーバ４）に送信するために使用される。この処置の内容としては、たとえば、医用画像の撮影（たとえばポータブル撮影）、注射、糖尿病患者等に対する食事（給食）の処方、生理検査や内視鏡検査等の各種検査などがある。また、患者情報には、その患者の患者ＩＤ（患者識別情報）や患者氏名などが含まれている。
【００２５】
なお、図１に示すシステム１では、医師端末３が一つしか設置されていないが、実際は、たとえば各診療室ごとに設置してあったり、各医師ごとに設置してあったりするなど、複数の医師端末３が設けられているのが通常である。
【００２６】
〔ＨＩＳサーバ〕
ＨＩＳサーバ４は、病院情報を電子化して統合管理するＨＩＳ（Ｈｏｓｐｉｔａｌ  Ｉｎｆｏｒｍａｔｉｏｎ  Ｓｙｓｔｅｍ；病院情報システム）の制御やデータ管理を行うサーバである。ＨＩＳサーバ４には、データベースとして機能する大容量記憶装置（図示せず）が接続され、電子カルテ情報や会計情報等などが上記病院情報として蓄積されている。なお、電子カルテ情報には、各患者の診察結果等の情報とともに、各入院患者の病室情報（後述）などが含まれている。
【００２７】
このＨＩＳサーバ４は、特に、医師端末３から送信された処置内容情報の管理を行う。より具体的には、医師端末３から患者情報とともに送信された処置内容情報をデータベースに格納するとともに患者情報を用いて検索可能に管理し、要求に応じて処置内容情報を検索して送信する。
【００２８】
たとえばポータブル撮影に関する処置内容情報は、担当の診療科のコンピュータ端末（図示せず）やＲＩＳサーバ６（放射線科）などに送信される。また、注射に関する処置内容情報は、ＨＩＳサーバ４から担当の診療科やナースステーションに設置されたコンピュータ端末に送信される。また、食事の処方に関する処置内容情報は、ＨＩＳサーバ４から担当の診療科、院内の給食部、外部の給食サービス会社などに設置されたコンピュータ端末に送信される。また、生理検査や内視鏡検査等の各種検査に関する処置内容情報は、ＨＩＳサーバ４から担当の診療科や検査部に設置されたコンピュータ端末に送信される。
【００２９】
〔医用画像診断装置〕
医用画像診断装置５は、院内の撮影室に設置された医用画像撮影用の装置などからなる。この医用画像診断装置５としては、Ｘ線診断装置、Ｘ線ＣＴ装置、ＭＲＩ（Ｍａｇｎｅｔｉｃ  Ｒｅｓｏｎａｎｃｅ  Ｉｍａｇｉｎｇ）装置、核医学診断装置（ＳＰＥＣＴ、ＰＥＴ等）などがある。また、医用画像診断装置５は、超音波診断装置等の可搬型の医用画像撮影用の装置であってもよい。
【００３０】
医用画像診断装置５により撮影された医用画像は、デジタル画像データとして、患者情報等とともに院内ネットワーク２を介してＲＩＳサーバ６に送られる。
【００３１】
なお、図１に示すシステム１では、医用画像診断装置５が一つしか設置されていないが、実際は、上記の各種装置のうちの少なくとも一種類が１台ずつあるいは複数台設けられているのが通常である。
【００３２】
〔ＲＩＳサーバ〕
ＲＩＳサーバ６は、放射線科にて取り扱われる医用画像（放射線撮影画像）等の情報を電子化して管理するＲＩＳ（Ｒａｄｉｏｌｏｇｙ  Ｉｎｆｏｒｍａｔｉｏｎ  Ｓｙｓｔｅｍ；放射線科情報システム）の制御やデータ管理を行うサーバである。ＲＩＳサーバ６には、データベースとして機能する大容量記憶装置（図示せず）が接続されている。
【００３３】
ＲＩＳサーバ６は、医用画像診断装置５から送信された医用画像のデジタル画像データをデータベースに格納するとともに患者情報を用いて検索可能に管理し、要求に応じて医用画像を検索して送信する処理を実行する。
【００３４】
また、ＲＩＳサーバ６は、ＨＩＳサーバ４からポータブル撮影に関する処置内容情報を受けて、その管理を行う。より具体的には、ＨＩＳサーバ４から患者情報とともに送信された処置内容情報をデータベースに格納するとともに患者情報を用いて検索可能に管理し、要求に応じて処置内容情報を検索して患者情報等とともに送信する。その送信先は、たとえばＲＩＳクライアント７、８やＰＤＡ１０である。
【００３５】
特に、ＰＤＡ１０に対してデータを送信する場合、ＲＩＳサーバ６は、ポータブル撮影に関する処置内容情報及び処置対象患者の患者情報とともに、その患者の病室を識別する病室情報も送信するようになっている。
【００３６】
ここで、ポータブル撮影に関する処置内容情報は、撮影部位や撮影方向等を指定する情報などを含む情報である。また、病室情報は、病室番号等の病室識別情報（たとえば１０１号室を示す「１０１」等）、病室のある病棟識別情報（たとえばＡ病棟を示す「Ａ」）、病室の有るフロアの階数（たとえば５階を示す「５Ｆ」）などを含む情報である。
【００３７】
なお、たとえば５階に有る病室の病室番号が５００番台の数字とされている場合など、病室識別情報等がフロアを反映している場合には、その病室識別情報等からフロア階数を取得するように構成することができる。同様に、たとえばＡ病棟の１０１号室の病棟識別情報が「Ａ１０１」とされている場合など、病室識別情報等に病棟識別情報が反映されている場合には、その病室識別情報等から病棟識別情報を取得するように構成することが可能である。
【００３８】
ところで、ポータブル撮影を実施するときには、複数の病室を順に回りながら複数の患者に対して撮影作業を行うことが多々ある。その場合、ＲＩＳサーバ６は、要求に応じ、この一連のポータブル撮影の対象となる複数の患者のそれぞれの患者情報、処置内容情報及び病室情報をＰＤＡ１０に一度に送信することができる。このようなＲＩＳサーバ６は、本発明の「医用情報処理装置」の一例に相当する。
【００３９】
〔ＲＩＳクライアント〕
ＲＩＳクライアント７、８は、それぞれ、ＲＩＳサーバ６により管理されている情報を閲覧するためのビューアや、医用画像の読影レポートを作成するためのコンピュータ端末など、ＲＩＳサーバ６が管理している情報を閲覧可能とされたコンピュータによって構成される。このようなＲＩＳクライアント７、８の設置台数は任意である。
【００４０】
〔ポータブル撮影装置〕
ポータブル撮影装置９は、たとえば前述の特許文献１に記載された可搬型のＸ線撮影装置等の放射線撮影装置である。撮影技師等は、このポータブル撮影装置９を撮影対象の患者の病室まで移動させ、その病室内において医用画像の撮影を実施する。
【００４１】
〔撮影画像読取装置〕
撮影画像読取装置９Ａは、ポータブル撮影装置９を接続するためのインターフェイス（コネクタ）を有し、このインターフェイスに接続されたポータブル撮影装置９からその撮影結果（撮影画像、患者情報等）を読み取り、院内ネットワーク２を通じてＲＩＳサーバ６に送信する装置である。この撮影画像読取装置９Ａは、たとえば病棟の各フロア（特に病室の有るフロア）に設置されている。なお、図１においてポータブル撮影装置９と撮影画像読取装置９Ａとを結ぶ点線は、これらが必要に応じてハードウェア的に接続されることを示すものである。
【００４２】
〔ＰＤＡ〕
ＰＤＡ１０（Ｐｅｒｓｏｎａｌ  Ｄｉｇｉｔａｌ  Ａｓｓｉｓｔａｎｃｅ）は、本発明の「携帯端末」の一例に相当し、ポータブル撮影装置９を用いたポータブル撮影において、使用される携帯情報端末である。なお、図１においてＰＤＡ１０と院内ネットワーク２とを結ぶ点線は、これらが必要に応じてハードウェア的に接続されることを示している。以下、このＰＤＡ１０について詳細に説明する。図２は、ＰＤＡ１０の内部構成の一例を表すブロック図である。
【００４３】
このＰＤＡ１０は、制御部１１、記憶部１２、ユーザインターフェイス１３及び通信部１６を具備している。ユーザインターフェイス１３は、表示部１４と操作部１５とを含んで構成される（その他、音声出力部などを含んでいてもよい。）。以下、ＰＤＡ１０のこれら各部についてそれぞれ説明する。
【００４４】
（制御部）
制御部１１は、本発明の「制御手段」の一例に相当し、ＰＤＡ１０各部の制御や各種の演算処理等のデータ処理などを実行するＣＰＵ等のマイクロプロセッサを含んで構成されている。特に、表示部１４による表示画面の加工及びその表示制御や、操作部１５による操作内容に応じた装置各部の制御などを実行する。上記のマイクロプロセッサは、記憶部１２にあらかじめ記憶されたコンピュータプログラム（図示せず）にしたがってそのような処理を実行する。
【００４５】
制御部１１には、病室位置情報作成部１１ａと患者人数カウント部１１ｂとが設けられている。
【００４６】
病室位置情報作成部１１ａは、記憶部１２にあらかじめ記憶された画像テンプレート１２ａ（後述）と、ＲＩＳサーバ６から送信された処置内容情報とに基づいて、ポータブル撮影の対象患者の病室の位置情報を作成する処理を実行する。作成される位置情報には、画像テンプレート１２ａに応じた画像情報（後述のレイアウト画像）が含まれている。作成された位置情報は、制御部１１によって表示部１４に表示されることとなる。これらの処理及び表示画面については、その具体例を後述の［動作］の項にて説明する。
【００４７】
患者人数カウント部１１ｂは、ＲＩＳサーバ６から複数の患者情報、処置内容情報、病室情報が送信されたときに動作するものであり、病室情報を参照して病棟の各フロアごとのポータブル撮影対象患者の人数をカウントする。そのカウント結果は、制御部１１によって表示部１４に表示される。
【００４８】
〔記憶部〕
記憶部１２は、処理中のデータが展開されるＲＡＭや、コンピュータプログラムやＯＳ等を格納するＲＯＭや、ＲＩＳサーバ６からの処置内容情報など外部からの入力データ等を記憶するフラッシュメモリなど、小型のメモリ（半導体メモリ）を含んで構成されている。また、小型のハードディスクドライブなどを含んでいてもよい。
【００４９】
記憶部１２（ＲＯＭ／フラッシュメモリ／ハードディスクドライブ等）には、画像テンプレート１２ａがあらかじめ記憶されている。制御部１１の病室位置情報作成部１１ａは、画像テンプレート１２ａをひな形として、対象患者の病室の位置を示す画像（レイアウト画像）を作成するようになっている。画像テンプレート１２ａは、たとえば病棟の各フロアごとの病室レイアウトを表す画像の画像データを含んでいる。この画像テンプレート１２ａの一例を図３に示す。
【００５０】
図３に示す画像テンプレート１２ａは、病棟５階に有る１０の病室（病室番号５０１〜５１１；５０４除く）のレイアウトを表す画像テンプレートである。この画像テンプレート１２ａには、そのフロアが何階であるかを示すフロア表示部１２１ａと、各病室の病室番号を示す病室識別情報表示部１２２ａと、各病室の領域を示す病室領域部１２３ａとが設けられている。
【００５１】
〔ユーザインターフェイス〕
ユーザインターフェイス１３は、本発明の「ユーザインターフェイス手段」の一例に相当するもので、たとえばタッチスクリーン等の表示スクリーンからなる表示部１４と、タッチスクリーン用のスタイラスペン（ｓｔｙｌｕｓ  ｐｅｎ）や操作キーや操作ダイアル等からなる操作部１５とを含んで構成される。表示部１４は、本発明の「表示手段」の一例に相当し、また、操作部１５は、「操作手段」及び「指定手段」のそれぞれの一例に相当する。
【００５２】
〔通信部〕
通信部１６は、本発明の「通信手段」の一例に相当し、ＰＤＡ１０を院内ネットワーク２に接続するためのインターフェイス回路を含んで構成される。院内ネットワーク２に対するＰＤＡ１０の接続形態としては、たとえばクレードル（ｃｒａｄｌｅ）などが用いられる。
【００５３】
［動作］
以上のような構成の本実施形態に係る医用情報処理システム１の動作の一例を、図４〜図８を参照しながら説明する。図４に示すフローチャートは、この医用情報処理システム１の動作の一例を表している。また、図５〜図８は、このフローチャートに示す動作に関わる各種情報及び表示画面の一例を表している。
【００５４】
まず、ポータブル撮影に関する処置内容情報が医師端末３に入力されると（Ｓ１）、医師端末３は、その処置内容情報を患者情報とともにＨＩＳサーバ４に送信する（Ｓ２）。ＨＩＳサーバ４は、受信した患者情報に基づいてこの患者の病室情報をデータベースから検索し、この病室情報、処置内容情報及び患者情報（これら３つの情報をまとめて「処置要求情報」と呼ぶ。）をＲＩＳサーバ６に送信する（Ｓ３）。ＲＩＳサーバ６には、このような処置要求情報が蓄積される。
【００５５】
ＰＤＡ１０のユーザ（撮影技師等）は、ＰＤＡ１０を院内ネットワーク２に接続し、ユーザインターフェイス１３にて所定の操作を行って、ポータブル撮影の対象となる複数の患者の処置要求情報をＲＩＳサーバ６からダウンロードする（Ｓ４）。ダウンロードされた複数の処置要求情報は、記憶部１２に格納される。
【００５６】
ＲＩＳサーバ６からＰＤＡ１０にダウンロードされる複数の処置要求情報の一例を図５に示す。同図に示す処置要求情報は、患者情報として患者ＩＤと患者氏名とを含む。また、病室情報はフロアを反映している（１階の病室番号は１００番台、２階の病室番号は２００番台、・・・）。また、処置内容情報は、撮影部位（たとえば「胸部」）と、撮影方向（たとえば「正面」）を含んでいる。
【００５７】
さて、複数の処置要求情報がダウンロードされると、ＰＤＡ１０の制御部１１の患者人数カウント部１１ｂが、この処置要求情報の病室情報に基づいて、各フロアごとの処置対象患者の人数をカウントする（Ｓ５）。カウント結果は記憶部１２に保存される。図５の例においては、１〜５階の患者人数は、それぞれ、２人、２人、２人、２人、３人となる。なお、本例では、病室情報がフロアを反映しているので、病室番号の百の桁の数字を判別することにより、その患者がどのフロアの病室に入院しているか判断するようになっている。
【００５８】
次に、制御部１１が、上記のカウント結果を表示部１４に表示させる（Ｓ６）。図６は、このカウント結果を表示する処置対象患者数表示画面２０の一例を表す。この画面２０には、各フロアの処置対象患者の人数を表示するとともにフロアの選択指定を可能とするフロア選択部２１が設けられている。
【００５９】
ユーザが、操作部１５を操作して、フロア選択部２１に列挙された複数のフロアのうちから所望のフロアを選択指定すると（Ｓ７）、病室位置情報作成部１１ａが、この指定フロアに入院している処置対象患者の病室の位置を示すレイアウト画像を作成する（Ｓ８）。
【００６０】
具体的に説明すると、病室位置情報作成部１１ａは、まず、指定フロアの画像テンプレート１２ａを記憶部１２から選択して読み出す。次に、指定フロアの各処置対象患者の病室情報と、読み出した画像テンプレート１２ａの病室識別情報表示部１２２ａとを照合する。そして、この各処置対象患者について、その患者情報（患者ＩＤ及び患者氏名）を、対応する病室領域部１２３ａに埋め込む。それによりレイアウト画像が作成される。
【００６１】
制御部１１は、作成されたレイアウト画像を表示部１４に表示させる（Ｓ９）。このレイアウト画像の表示画面において、処置対象患者の病室の表示領域（病室領域部１２３ａに相当する領域）は、他の病室の表示領域とは異なる表示態様（たとえば異なる表示色や背景パターン等）で表示される。
【００６２】
ステップＳ７〜Ｓ９の処理の一例を説明する。図６の処置対象患者数表示画面２０のフロア選択部から「５Ｆ」が選択指定された場合、病室位置情報作成部１１ａは、まず、記憶部１２から５階に相当する画像テンプレート１２ａ（図３参照）を読み出す。次に、図５に示す処置要求情報のうち５階の病室にいる３人の患者（患者ＩＤ：０５２、０５９、０６３）の病室情報「５０１」、「５０３」、「５０８」と、画像テンプレート１２ａの病室識別情報表示部１２２ａとを照合する。そして、病室情報「５０１」の患者の患者ＩＤ「０５２」及び患者氏名「ＩＩＩＩＩ」を、画像テンプレート１２ａの病室番号「５０１」に相当する病室領域部１２３ａに埋め込む。同様に、病室情報「５０３」の患者の患者ＩＤ「０５９」及び患者氏名「ＪＪＪＪＪ」を、画像テンプレート１２ａの病室番号「５０３」に相当する病室領域部１２３ａに埋め込み、病室情報「５０８」の患者の患者ＩＤ「０６３」及び患者氏名「ＫＫＫＫＫ」を、病室番号「５０８」に相当する病室領域部１２３ａに埋め込む。
【００６３】
それにより作成されたレイアウト画像の表示画面の一例を図７に示す。同図に示すレイアウト画像表示画面３０は、図３の画像テンプレート１２ａをひな形とするものであり、病室情報「５０１」に相当する病室領域部１２３ａの表示領域に患者ＩＤ「０５２」と患者氏名「ＩＩＩＩＩ」とが表示され、病室情報「５０３」に相当する病室領域部１２３ａの表示領域に患者ＩＤ「０５９」と患者氏名「ＪＪＪＪＪ」とが表示され、病室情報「５０８」に相当する病室領域部１２３ａの表示領域に患者ＩＤ「０６３」と患者氏名「ＫＫＫＫＫ」とが表示されている。
【００６４】
なお、レイアウト画像表示画面３０では、処置対象患者の病室の表示領域（病室領域部１２３ａに相当する領域）は、他の病室の表示領域とは異なる表示態様で表示される。図７では、処置対象患者の病室５０１、５０３、５０８の表示領域を斜線で示すことで、他の病室５０２、５０５、５０６、５０７、５０９、５１０、５１１との表示態様の相違を表している。
【００６５】
さて、ＰＤＡ１０のユーザ（撮影技師等）は、表示されたレイアウト画像を参照して病室を訪問する（Ｓ１０）。そして、その病室に対応するレイアウト画像上の表示領域を操作部１５を用いて選択指定、つまりその病室の患者を選択指定すると（Ｓ１１）、制御部１１は、この指定領域に対応する患者の患者情報と処置内容情報とを表示部１４に表示させる（Ｓ１２）。このとき、その患者の病室情報も表示させてもよい。
【００６６】
ステップＳ１１、Ｓ１２の処理の一例として、図７のレイアウト画像表示画面３０において、病室情報「５０１」に対応する表示領域（「５０１」と表示された領域、又は、「０５２  ＩＩＩＩＩ」と表示された領域）を指定した場合、図８に示すような処置内容表示画面４０が表示部１４に表示される。この処置内容表示画面４０には、病室情報「５０１」の処置対象患者の患者ＩＤと患者氏名と処置内容情報とが表示されている（表示内容については図５参照。）。
【００６７】
ユーザは、表示された処置内容を参照して当該患者に対する撮影部位や撮影方向等を確認し、ポータブル撮影を実施する（Ｓ１３）。ユーザは、操作部１５を用いて、このポータブル撮影にて使用したフィルムのサイズや撮影枚数等の撮影情報をＰＤＡ１０（たとえば処置内容表示画面４０）に入力する（Ｓ１４）。入力された撮影情報は記憶部１２に保存される。
【００６８】
当該フロアの処置対象患者のそれぞれに対するポータブル撮影を実施したら、ステップＳ７にて別のフロアを選択し、同じ要領で各処置対象患者に対するポータブル撮影を実施する（Ｓ１５；Ｎ）。
【００６９】
全てのフロアが終了したら（Ｓ１５；Ｙ）、ユーザは、ＰＤＡ１０を院内ネットワーク２に接続し、各撮影情報を患者情報に関連付けてＲＩＳサーバ６にアップロードする（Ｓ１６）。アップロードされた撮影情報は、ＲＩＳサーバ６により、各処置対象患者ごとにデータベースに格納される。なお、ポータブル撮影による撮影画像は、ポータブル撮影装置９から撮影画像読取装置９Ａを介してＲＩＳサーバ６に別途にアップロードされる。
【００７０】
［作用・効果］
以上のように動作する本実施形態の医用情報処理システム１によれば、次のような作用及び効果が奏されることとなる。
【００７１】
本実施形態のＰＤＡ１０は、ＨＩＳサーバ６から院内ネットワーク２を通じて送信された複数の処置要求情報を受信し、この受信された各処置要求情報に基づいて、複数の処置対象患者のそれぞれの病室の位置情報を表示部１４に表示させるように構成されている。ユーザは、複数の病室を順に訪問してポータブル撮影を実施する場合に、ＰＤＡ１０に表示される病室の位置情報を参照することで、訪問先の病室の位置を容易に把握することができる。また、本実施形態によれば、従来のようにワークシート（回診情報）を紙媒体に印刷出力する必要がなくなる。
【００７２】
また、ＰＤＡ１０により表示される病室の位置情報は画像情報（文字情報ではなくイメージ情報）を含んでいるので、文字情報のみからなる従来のワークシートと比較して、訪問先の病室の位置を直感的に把握し易い。また、訪問先となる複数の病室の位置情報が画像情報として表示されることから、それら複数の病室の位置関係を容易に把握できる。それにより、ユーザは、複数の病室を効率的に回るための経路（訪問順序）を容易に決定することができる。
【００７３】
また、表示された画像情報に基づいて所望の処置対象患者の病室を操作部１５で指定すると、ＰＤＡ１０は、その指定された病室の処置対象患者の患者情報（患者ＩＤ、患者氏名）と処置内容情報とを表示するように構成されている。したがって、ポータブル撮影を開始するときに、対象患者（の病室）を指定するだけで、ポータブル撮影に必要な情報を容易に取得することができる。ここで、患者情報については、患者の照合に用いることで、別の患者に処置を実施してしまう事態の防止に役立つ。また、処置内容情報は、撮影部位や撮影方向など、ポータブル撮影を実施するために必須の情報である。
【００７４】
また、ＰＤＡ１０は、上記画像情報として、病室のレイアウトを表すレイアウト画像表示画面３０を表示させる。このレイアウト画像表示画面３０において、処置対象患者の病室は、他の患者の病室と異なる表示態様で表示されるようになっている。ユーザは、このレイアウト画像表示画面３０を参照することで、病室がどのような位置関係で配置しているかを直感的に認識でき、更に、どの病室に処置対象患者が入院しているかを一目で把握することができる。
【００７５】
更に、レイアウト画像表示画面３０中の病室を示す領域（画像テンプレート１２ａの病室領域部１２３ａに相当する表示領域）に、その病室内の処置対象患者の患者ＩＤ（患者識別情報）と患者氏名とを表示するようになっているので、どの病室にどの処置対象患者が入院しているかを容易に把握することが可能であり、たとえば患者の取り違えなどの発生防止に寄与する。
【００７６】
また、ＰＤＡ１０は、受信した複数の処置要求情報に基づいて各フロアごとの処置対象患者の人数をカウントし、その結果を処置対象患者数表示画面２０として表示する。この処置対象患者数表示画面２０には、病棟の複数のフロアが選択指定可能に配列されている（フロア選択部２１）。ユーザが、操作部１５により所望のフロアを指定すると、そのフロアの病室の配置を示すレイアウト画像表示画面３０が表示されるようになっている。それにより、所望のフロアの病室のレイアウトを迅速かつ容易に参照することが可能となる。
【００７７】
［変形例］
以上で説明した構成は、本発明に係る医用情報処理システムの一構成例に過ぎないものであり、本発明の要旨の範囲内における変形を適宜に施すことが可能である。以下、上記の実施形態に係る各種の変形例について説明する。
【００７８】
上記の実施形態では、病室レイアウトを表すレイアウト画像表示画面３０（図７参照。）を病棟の各フロアごとに表示するように構成されているが、本発明に係る医用情報処理システムによるレイアウト画像の表示態様はこれに限定されるものではない。
【００７９】
たとえば、２以上のフロアのそれぞれのレイアウト画像を同時にＰＤＡ１０に表示させるようにしてもよい。このとき、処置対象患者の病室があるフロアのレイアウト画像のみを選択的に表示させることができる。
【００８０】
また、レイアウト画像表示画面３０における処置対象患者の病室に相当する表示領域には、その患者の患者ＩＤ及び患者氏名の双方が表示されるようになっているが、それらのうちのいずれか一方のみを表示させるようにしてもよい。
【００８１】
本発明にいう「病室の位置情報」に含まれる画像情報は、レイアウト画像表示画面３０の形態には限定されず、その他の形態からなる画像情報を表示させることも可能である。たとえば、一つの病室に複数の患者が入院している場合には、処置対象の患者のベッドがその病室のどの位置に配置されているかを示す画像を表示することができる。
【００８２】
また、多数の病室がフロアに設けられている場合など、そのフロアの全病室をＰＤＡ１０の表示部１４に一度に表示できない場合や一度に表示することが好ましくない場合には、操作部１５（操作キー等）によって表示画面をスクロールできるように構成することが可能である。
【００８３】
上記実施形態の処置内容表示画面４０（図８参照。）には、患者情報（患者ＩＤ、患者氏名）及び処置内容情報が表示されているが、それらに加えて病室情報等の他の情報も表示させることが可能である。たとえば処置対象患者に同姓同名の患者がいる場合において、患者ＩＤの確認を怠ってしまった場合などには、患者の取り違えが起こる可能性が高くなる。そこで、病室情報も同時に表示させるように構成すれば、この病室情報を参照して同姓同名等の患者を識別できるので、患者取り違えのおそれが低減される。
【００８４】
或る病室に２人以上の処置対象患者がいる場合には、レイアウト画像表示画面３０の当該病室の表示領域には、これら２人以上の処置対象患者のそれぞれの患者ＩＤや患者氏名が表示される。この場合における処置内容情報の表示方法には、たとえば次のような方法を適用できる。
【００８５】
第１の方法：（工程１）ユーザが、レイアウト画像表示画面３０の当該病室を操作部１５で選択指定する；（工程２）制御部１１が、当該病室にいる２人以上の処置対象患者の患者情報のリストを表示させる；（工程３）ユーザが、そのリストのうちから所望の患者を選択指定する；（工程４）制御部１１が、指定された患者の処置内容表示画面４０（図８参照。）を表示させる。
【００８６】
第２の方法：（工程１）ユーザが、レイアウト画像表示画面３０の当該病室の表示領域に表示された２人以上の患者ＩＤ等のうち、所望のものを選択指定する；（工程２）制御部１１が、指定された患者の処置内容表示画面４０を表示させる。
【００８７】
第３の方法：（工程１）ユーザが、レイアウト画像表示画面３０の当該病室を操作部１５で選択指定する；（工程２）制御部１１が、当該病室にいる２人以上の処置対象患者のそれぞれの患者情報及び処置内容情報を一覧表示させる。
【００８８】
上記実施形態においては、処置対象患者の病室の位置を表す位置情報（レイアウト画像等）の作成処理は、ＰＤＡ１０が実行するようになっているが、医用情報処理装置（ＲＩＳサーバ６やＨＩＳサーバ４）が当該処理を実行するように構成してもよい。その場合、本発明に係る医用情報処理システムは、たとえば次のように動作する医用情報処理装置と携帯端末を含むシステム構成とされる。
【００８９】
まず、医用情報処理装置は、患者情報、処置内容情報及び病室情報を含む処置要求情報に基づいて患者の病室の位置情報を作成し、複数の患者に対する処理要求情報と、各処理要求情報に基づいて作成された位置情報とを携帯端末に送信する。位置情報の作成処理は、上記実施形態における病室位置情報作成部１１ａによる処理と同様に実行される。
【００９０】
なお、病棟の各フロアの処置対象患者の人数をカウントする処理（患者人数カウント部１１ｂ参照）についても医用情報処理装置が実行するようにしてもよい。その場合、患者人数のカウント結果は、複数の処置要求情報及び位置情報とともに携帯端末に送信される。
【００９１】
携帯端末は、医用情報処理装置から送信された複数の処置要求情報と複数の位置情報とを通信手段により受信するとともに、この受信した複数の位置情報をユーザインターフェイス手段の表示手段に制御手段によって表示させる。
【００９２】
このような構成によれば、上記実施形態と同様に、訪問先の病室の位置を容易に把握することが可能となる。更に、ナースステーションにいる看護士など、携帯端末のユーザ以外の者であっても、医用画像処理装置にアクセスすることにより、この位置情報を閲覧することが可能である。また、位置情報を記憶した携帯端末が破損した場合や紛失した場合などに、他の携帯端末に位置情報をダウンロードして迅速に処置を再開できるというメリットもある。
【００９３】
また、携帯端末に搭載されたマイクロプロセッサの演算処理速度は、医用情報処理装置のそれよりも遅いのが通常である。したがって、本変形例に係るシステムによれば、位置情報の作成に掛かる時間が短縮されることとなる。なお、携帯端末から位置情報のダウンロード要求がなされる前に位置情報を作成しておけば、位置情報の作成時間は実質的にゼロになる。更に、画像テンプレート１２ａ（図３参照）は医用情報処理装置側に記憶されることとなるため、携帯端末の記憶装置（メモリ）を有効に使用でき、処理速度の向上も期待される。
【００９４】
上記実施形態の医用情報処理システム１のＲＩＳサーバ６は、ＨＩＳサーバ４が管理する情報を参照可能な構成を有している。そこで、次のような処理を実行することが可能である。ＲＩＳサーバ６は、ＰＤＡ１０にポータブル撮影の処置要求情報を送信する前に、ポータブル撮影の対象患者に対して他の処置要求（たとえば検査要求）がＨＩＳサーバ４に入力されていないか確認する。他の処置要求が有った場合、ＲＩＳサーバ６は、この他の処置要求をＨＩＳサーバ４から取得する。そして、この他の処置要求に関する情報（処置内容、処置の実施時間等；付帯情報と呼ぶ。）を、ポータブル撮影の処置要求情報とともにＰＤＡ１０に送信する。ＰＤＡ１０は、この付帯情報が送信された処置対象患者について、その患者情報と付帯情報とを表示部１４に表示させる。それにより、ユーザは、その対象患者に他の処置要求があることを認識でき、その対象患者の病室を訪問する順序や時間等を調整することができる。また、それにより、複数の病室を巡回する経路や順序についても調整することができる。
【００９５】
本発明にいう「処置」は、上記実施形態で説明したポータブル撮影だけでなく、注射、食事、検査など、複数の病室を順に訪問して患者に対して実施する任意の処置を意味することは前述した。上記実施形態では、放射線科に関わるポータブル撮影について説明したことから、ＲＩＳサーバ６が本発明の「医用情報処理装置」として動作していた。一方、注射、食事、検査等の場合には、ＨＩＳサーバ４が「医用情報処理装置」として動作することとなる。このように、本発明の「医用情報処理装置」は、ＰＤＡ１０（携帯端末）に対して処置要求情報を送信する任意の装置（コンピュータ）によって構成されるものである。
【００９６】
また、本発明の「携帯端末」は、ＰＤＡに限定されるものではなく、（１）病院内において携帯可能である、（２）院内ネットワークに接続可能、（３）表示手段を有している（望ましくは操作手段及び／又は指定手段も有している）、（４）病室の位置情報を表示させる制御手段（マイクロプロセッサ等）を有している、の各条件を満足するものであれば、任意の装置を適用することが可能である。
【図面の簡単な説明】
【００９７】
【図１】本発明に係る医用情報処理システムの実施形態の全体構成の一例を表す概略ブロック図である。
【図２】本発明に係る医用情報処理システムの実施形態に含まれるＰＤＡ（携帯端末）の内部構成の一例を表す概略ブロック図である。
【図３】本発明に係る医用情報処理システムの実施形態に含まれるＰＤＡが記憶する画像テンプレートの一例を表す概略図である。
【図４】本発明に係る医用情報処理システムの実施形態の動作の一例を表すフローチャートである。
【図５】本発明に係る医用情報処理システムの実施形態のＰＤＡにダウンロードされる処置要求情報の一例を表す概略図である。
【図６】本発明に係る医用情報処理システムの実施形態のＰＤＡに表示される処置対象患者数表示画面の一例を表す概略図である。
【図７】本発明に係る医用情報処理システムの実施形態のＰＤＡに表示されるレイアウト画像表示画面の一例を表す概略図である。
【図８】本発明に係る医用情報処理システムの実施形態のＰＤＡに表示される処置内容表示画面の一例を表す概略図である。
【符号の説明】
【００９８】
１  医用情報処理システム
２  院内ネットワーク
３  医師端末
４  ＨＩＳサーバ
５  医用画像診断装置
６  ＲＩＳサーバ
７、８  ＲＩＳクライアント
９  ポータブル撮影装置
９Ａ  撮影画像読取装置
１０  ＰＤＡ
１１  制御部
１１ａ  病室位置情報作成部
１１ｂ  患者人数カウント部
１２  記憶部
１２ａ  画像テンプレート
１２１ａ  フロア表示部
１２２ａ  病室識別情報表示部
１２３ａ  病室領域部
１３  ユーザインターフェイス
１４  表示部
１５  操作部
１６  通信部
２０  処置対象患者数表示画面
２１  フロア選択部
３０  レイアウト画像表示画面
４０  処置内容表示画面
【図１】
2007052699.tif 000003
【図２】
2007052699.tif 000004
【図３】
2007052699.tif 000005
【図４】
2007052699.tif 000006
【図５】
2007052699.tif 000007
【図６】
2007052699.tif 000008
【図７】
2007052699.tif 000009
【図８】
2007052699.tif 000010